(57)【要約】【課題】予約される番組の録画時間に重なりがあるときには優先する番組を全て、優先しない方の番組は重複する部分を除いて記録する。優先度の高い番組の予約が変更される場合は、除いた部分を復帰させて記録する録画予約の方法を実現することにある。【解決手段】予約して記録する番組の前半又は後半に生じる欠けの部分を記述する週間予約番組表を作成し、欠けの状態と欠けの原因となる相手の番組識別名を記述する。相手の番組に対する予約の変更が有ったときには、相手となる番組識別名を基に週間予約番組表における欠けの状態を更新し、更新された番組表を基に当日の録画実行テーブルを作成し、それを基に録画を行うようにして放送番組録画装置の構成を実現した。【選択図】図１
2005217738.tif 000002
【特許請求の範囲】
【請求項１】
週毎又は日毎の同じ時間帯に放送される放送番組を順次録画するための繰返し予約、及び各放送番組を個別に録画するための単発予約により放送番組を録画するに際し、前記繰返し予約に係る予約時間帯と前記単発予約に係る予約時間帯とに重複する時間があるときは、前記繰返し予約と前記単発予約のうちのいずれか一方を優先予約とし、他方を非優先予約として選択すると共に、前記非優先予約に対する前記優先予約の重複する時間が前記非優先予約の録画開始時刻を含む前半部であるか又は前記非優先予約に対する前記優先予約の重複する時間が前記非優先予約の録画終了時刻を含む後半部であるかを検出し、検出された前記前半部又は前記後半部に係る重複時間を放送日毎に整理して週間予約テーブルを作成し、作成された前記週間予約テーブルを基に録画を実行するための録画実行テーブルを作成し、作成された前記録画実行テーブルに基づいて放送番組を録画する放送番組の録画予約方法であって、
前記非優先予約した放送番組に対する前記優先予約した放送番組の重複する時間が前記前半部であるときはこの状態を示す前欠けフラグを付した前記週間予約テーブルを作成すると共に、前記非優先予約した放送番組に対する前記優先予約した放送番組の重複する時間が前記後半部であるときはこの状態を示す後欠けフラグを付した前記週間予約テーブルを作成する第１のステップと、
前記第１のステップで作成された前記週間予約テーブルのうち、前記前欠けフラグの付される前記非優先予約された放送番組を前記優先予約された放送番組の終了時刻経過後より録画を開始するか、又は前記後欠けフラグの付される前記非優先予約された放送番組を前記優先予約された放送番組の開始時刻の到来前に録画を終了するように記述した前記録画実行テーブルを作成する第２のステップと、
を有することを特徴とする放送番組の録画予約方法。
【請求項２】
週毎又は日毎の同じ時間帯に放送される放送番組を順次録画するための繰返し予約、及び各放送番組を個別に録画するための単発予約により放送番組を録画するに際し、前記繰返し予約に係る予約時間帯と前記単発予約に係る予約時間帯とに重複する時間があるときは、前記繰返し予約と前記単発予約のうちのいずれか一方を優先予約とし、他方を非優先予約として選択すると共に、前記非優先予約に対する前記優先予約の重複する時間が前記非優先予約の録画開始時刻を含む前半部であるか、前記非優先予約に対する前記優先予約の重複する時間が前記非優先予約の録画終了時刻を含む後半部であるか、又は前記非優先予約に対する前記優先予約の重複する時間が前記非優先予約の録画開始時刻及び録画終了時刻のいずれも含まない中間部であるかを検出し、検出された前記前半部、前記後半部、又は前記中間部に係る重複時間を放送日毎に整理して週間予約テーブルを作成し、作成された前記週間予約テーブルを基に録画を実行するための録画実行テーブルを作成し、作成された前記録画実行テーブルに基づいて放送番組を録画する放送番組の録画予約方法であって、
前記非優先予約した放送番組に対する前記優先予約した放送番組の重複する時間が前記中間部であるときは前記非優先予約した放送番組を録画しないこととし、その録画しないことを示す全欠けフラグを付した前記週間予約テーブルを作成する第１のステップと、
前記繰返し予約された放送番組が前記非優先予約された放送番組として選択されたときは、前記第１のステップで作成された前記週間予約テーブルに記述される放送日のうち、前記全欠けフラグの付されていない放送日にのみ前記非優先番組を録画するための前記録画実行テーブルを作成する第２のステップと、
を有することを特徴とする放送番組の録画予約方法。
【発明の詳細な説明】
【技術分野】
【０００１】
本発明は、複数の番組を毎日又は毎週繰返し予約して録画する録画装置において、個別に予約する番組と重複して予約される時間帯があるときに、優先して予約すべき番組の順位を選択して予約を行う放送番組の録画予約方法に関するものである。
【背景技術】
【０００２】
従来、ＶＴＲ、ハードディスクレコーダなどは、番組を予約して録画し、録画された番組を利用者の都合の良い時間に視聴するなど、いわゆる放送番組のタイムシフトマシンとして利用されている。特に、ハードディスクレコーダの場合では、記録媒体の高密度化にともない多数の番組を媒体の交換なしに記録できるなど、複数の番組を記録したライブラリーとして、及びランダムアクセス可能なタイムシフトマシンとして使用され、利用者がいわゆるＴＶの放送時間に拘束されることがなく、個人の時間を自由に使える時代になってきた。
【０００３】
また、ハードディスクレコーダは家族の多くの人が共同してアクセスして用いるホームサーバとしても用いられるようになり、複数の人により複数の番組が録画予約されるようになり、予約時間が重なってしまうこともある。現時点でのハードディスクレコーダは１番組のみを録画できる仕様のものが多いため、同時刻に複数の番組が録画されるような予約がなされたときには、後に予約された方の番組を優先して記録する、または利用者に記録する番組の優先順位決めを要求するなど、一義的に予約して記録する機能が盛り込まれている。
【０００４】
それに比し、電子番組ガイドを利用して録画予約した番組が重複した場合の使い勝手を向上させる方法として、指定された予約番組の時間帯が重複して登録されているかどうかの判定を行い、重複して録画予約された場合にはその重複を録画予約情報として表示するようにする。そして、２以上の番組が重複した時間帯は、操作キーに基づいて、その番組の開始時間及び終了時間を修正したり、重複した番組のどちらか一方の録画予約を取消すことができるようにする方法も提案された（例えば、特許文献１参照。）。
【０００５】
そして、単発または臨時の予約録画の後に、日時が重複する先約の再設定を簡単に行う予約録画方法として、予約録画の設定データに、個々の予約の有効性を示すフラグを追加して、メモリに格納し、有効フラグを伴う予約の録画を実行する。同じ時間帯の別番組や、放送時間がずれた番組のための、単発または臨時の録画予約の際は、日時が重複する先約のフラグを暫定的に無効化して、単発または臨時の録画を予約する。暫定無効化先約の録画終了時刻、または予約録画の終了の後に、その有効フラグを自動的に復活することにより、先約を再設定するための煩雑な作業を免れる。そして、予約録画の終了後は、単発または臨時の録画予約を削除するようにした放送番組の予約受信方法も提案されている（例えば、特許文献２参照。）。
【特許文献１】特開平９−１８０２９２号公報
【特許文献２】特開平１０−３４１３８１号公報
【発明の開示】
【発明が解決しようとする課題】
【０００６】
しかしながら、特許文献１による方法では、重複されて予約された番組の録画開始時刻を操作により変更する場合は、重複されている週の予約に関しては所望の録画がされるものの、毎日予約、または毎週予約などの繰返し予約する番組の場合では、重複される番組がある場合とない場合とで毎回録画予約の設定をしなおさなければならない。毎回の設定を行わない場合には重複される番組がない場合であっても一部分が欠けて録画されることとなり好ましくない。
【０００７】
そして、複数の番組を録画し、録画された番組より所望の番組を選択して視聴するようなハードディスクレコーダに対しては利用者の嗜好に合わせて、毎日予約により、または毎週予約により予約して録画するなど録画番組数は多くなる。従来は、録画した番組を保存版として記録しておく場合も多かったが、現在はメモ的に番組を録画し、視聴すべき録画部分を探し、視聴者が興味を有する部分のみを再生するなどの視聴方法が用いられることも多くなった。
【０００８】
また、特許文献１及び２による場合では、例え録画を希望する番組に少しの重複時間がある場合であっても、片方の番組の録画を取りやめるような録画予約の選択方法がなされてしまうため、利用者が部分的な録画を希望する場合であってもそれが実行されなく、好適な録画予約ができるとは言えない。
【０００９】
従って、利用者個人の時間が尊重される現代社会において、複数の番組を記録可能な媒体に行うタイムシフトマシンとしての録画予約では、優先度の低い番組の時間が重複する始まり部分、または終わり部分は記録しなくとも、重複していない番組部分の記録を行うなど、可能な限り多くの情報を記録するようにした録画機能を実現するのが好ましいことになる。
【００１０】
そこで本発明は、録画予約される番組の間で重なりが生じたときには、選択によりどちらの番組を優先して記録するかを選択し、優先度の低い方の番組は録画時間が重複しない部分を記録する。記録される低優先度の番組は、最初の番組部分が記録されない前欠け、または最後の部分が記録されない後欠けの状態で記録する。そして、録画を希望する優先度の高い番組の録画時刻が都合により変更される場合、または中止される場合には、前欠け、後欠けの部分欠け番組部分をも、自動復帰させて記録することが可能な放送番組の録画予約方法を実現しようとするものである。
【課題を解決するための手段】
【００１１】
本発明は、上記課題を解決するために以下の１）又は２）の手段より成るものである。
すなわち、
【００１２】
１）  週毎又は日毎の同じ時間帯に放送される放送番組を順次録画するための繰返し予約、及び各放送番組を個別に録画するための単発予約により放送番組を録画するに際し、前記繰返し予約に係る予約時間帯と前記単発予約に係る予約時間帯とに重複する時間があるときは、前記繰返し予約と前記単発予約のうちのいずれか一方を優先予約とし、他方を非優先予約として選択すると共に、前記非優先予約に対する前記優先予約の重複する時間が前記非優先予約の録画開始時刻を含む前半部であるか又は前記非優先予約に対する前記優先予約の重複する時間が前記非優先予約の録画終了時刻を含む後半部であるかを検出し、検出された前記前半部又は前記後半部に係る重複時間を放送日毎に整理して週間予約テーブルを作成し、作成された前記週間予約テーブルを基に録画を実行するための録画実行テーブルを作成し、作成された前記録画実行テーブルに基づいて放送番組を録画する放送番組の録画予約方法であって、
前記非優先予約した放送番組に対する前記優先予約した放送番組の重複する時間が前記前半部であるときはこの状態を示す前欠けフラグを付した前記週間予約テーブルを作成すると共に、前記非優先予約した放送番組に対する前記優先予約した放送番組の重複する時間が前記後半部であるときはこの状態を示す後欠けフラグを付した前記週間予約テーブルを作成する第１のステップと、
前記第１のステップで作成された前記週間予約テーブルのうち、前記前欠けフラグの付される前記非優先予約された放送番組を前記優先予約された放送番組の終了時刻経過後より録画を開始するか、又は前記後欠けフラグの付される前記非優先予約された放送番組を前記優先予約された放送番組の開始時刻の到来前に録画を終了するように記述した前記録画実行テーブルを作成する第２のステップと、
を有することを特徴とする放送番組の録画予約方法。
２）  週毎又は日毎の同じ時間帯に放送される放送番組を順次録画するための繰返し予約、及び各放送番組を個別に録画するための単発予約により放送番組を録画するに際し、前記繰返し予約に係る予約時間帯と前記単発予約に係る予約時間帯とに重複する時間があるときは、前記繰返し予約と前記単発予約のうちのいずれか一方を優先予約とし、他方を非優先予約として選択すると共に、前記非優先予約に対する前記優先予約の重複する時間が前記非優先予約の録画開始時刻を含む前半部であるか、前記非優先予約に対する前記優先予約の重複する時間が前記非優先予約の録画終了時刻を含む後半部であるか、又は前記非優先予約に対する前記優先予約の重複する時間が前記非優先予約の録画開始時刻及び録画終了時刻のいずれも含まない中間部であるかを検出し、検出された前記前半部、前記後半部、又は前記中間部に係る重複時間を放送日毎に整理して週間予約テーブルを作成し、作成された前記週間予約テーブルを基に録画を実行するための録画実行テーブルを作成し、作成された前記録画実行テーブルに基づいて放送番組を録画する放送番組の録画予約方法であって、
前記非優先予約した放送番組に対する前記優先予約した放送番組の重複する時間が前記中間部であるときは前記非優先予約した放送番組を録画しないこととし、その録画しないことを示す全欠けフラグを付した前記週間予約テーブルを作成する第１のステップと、
前記繰返し予約された放送番組が前記非優先予約された放送番組として選択されたときは、前記第１のステップで作成された前記週間予約テーブルに記述される放送日のうち、前記全欠けフラグの付されていない放送日にのみ前記非優先番組を録画するための前記録画実行テーブルを作成する第２のステップと、
を有することを特徴とする放送番組の録画予約方法。
【発明の効果】
【００１３】
本発明の放送番組の録画予約方法によれば、以下の１）又は２）に示す効果を提供することができる。
すなわち、
【００１４】
１）  優先予約される放送番組の全てと、非優先予約される放送番組のうち優先予約される放送番組と時間が重複しない番組部分を録画することができる。さらに、録画を希望する優先度の高い番組の録画時刻が変更された場合などでは、変更に応じて重複部分を更新させた非優先番組の記録を行える。
２）  新予約番組情報と既予約番組情報とを比較し予約時間帯の重複部分が中間部であるときは、新予約番組又は既予約番組のうちのいずれか一方の選択された方の番組を録画し、他方を非録画として記述した週間予約テーブルを作成するようにしているため、選択された方の番組予約が変更され、中央部の重複が無くなった場合には、非録画として選択された方の録画を復活して行える。
【発明を実施するための最良の形態】
【００１５】
以下、本発明の、放送番組の録画予約方法の実施形態につき、好ましい実施例により説明する。
【実施例１】
【００１６】
図１に、その第１の実施例に関わる放送番組記録再生装置の概略構成を示し、図面を参照しその動作について説明する。
【００１７】
同図に示す放送番組記録再生装置４は、テレビチューナ５１、Ａ／Ｄ変換器５２、ＭＰＥＧ（moving picture experts group）−２エンコーダ５３、バッファメモリ５５、ハードディスク記録再生器６１、ハードディスク６３、書き込み読み出し制御器６５、バッファメモリ７１、ＭＰＥＧ−２デコーダ７２、ＯＳＤ（On Screen Display）７３、Ｄ／Ａ変換器７４、マイコン７５、週間予約テーブル７６ａ、及び録画実行テーブル７６ｂより構成される。
【００１８】
そして、テレビチューナ５１にはアンテナが、再生部７のＤ／Ａ変換器７４にはモニタテレビ９が、またマイコン７５には操作部がそれぞれ接続されている。
【００１９】
まず、マイコン７５が操作されて月曜〜土曜の毎日予約される帯番組予約、毎週定められた曜日に予約される毎週予約、及び単発的に録画予約される単発予約などの放送番組の録画が予約なされる。マイコン７５はそれらの予約された番組に重複する時間帯があるかを調べ、予約時間に重複する時間帯があるときには重複している番組のうちどちらの番組を優先して録画するかを選択する。
【００２０】
その選択は、ＯＳＤ７３を介して重複する番組を使用者に提示し、優先して録画する番組の選択を依頼する。使用者はマイコン７５に接続される操作部を用い、または図示しないリモコンのボタンを操作し、重複する番組に対して優先または非優先の指定を行う。
【００２１】
マイコン７５は、操作により得られた結果を基に、非優先番組の重複部分を記録欠け番組部分として記述し、後述の週間予約テーブル７６ａを作成する。その週間予約テーブルには、録画が欠ける部分が番組の開始部分である前欠け（まえかけ）か、番組の終了部分である後かけ（あとかけ）か、あるいは番組の重要な中央部分が欠けてしまうため録画をしないとする全欠け（ぜんかけ）であるかの情報と共に、１週間の曜日ごとに番組予約情報が記述される。
【００２２】
曜日ごとに記述された週間予約テーブルのうち、記録される当日に係る予約テーブルは、その当日に録画を実行するための録画実行テーブル７６ｂとして作成される。即ち、マイコン７５は、週間予約テーブルに録画予約された番組のうち重複部分のある番組については上記の前欠け、後かけ、及び全欠けの情報を基に当日放送されるチャンネルと放送時刻情報とを基に、実際に録画する番組と録画する時刻により記述した録画実行テーブル７６ｂを作成する。
【００２３】
録画実行テーブル７６ｂに記述される予約時間が近づいたときに、ＴＶチューナ５１は記録するチャンネルの放送を受信する。受信して得られた映像出力はＡ／Ｄ変換器５２に供給されてディジタル映像信号に変換される。ディジタル映像信号はＭＰＥＧ−２エンコーダ５３により圧縮符号化されバッファメモリ５５に一時記憶される。
【００２４】
バッファメモリ５５に一時記憶されたディジタル圧縮符号化信号はハードディスク記録再生器６１によりハードディスク６３の所定の記録領域に記録するためのフォーマットの信号に変換され、その信号はハードディスク６３に供給されて記録される。
【００２５】
そのハードディスク６３は、ＭＰＥＧ−２エンコーダ５３から出力されるビットストリームの２倍以上の、データレートの信号の記録及び再生ができる動作能力を有している。従って、ハードディスク６３に記録された信号は次の時間に再生されると共に、再生された信号はハードディスク記録再生器６１で上記のフォーマット変換と相補的な動作により圧縮符号化された信号が得られ、その得られた信号はバッファメモリ７１に供給され、そこに一時記憶される。
【００２６】
バッファメモリ５５及びバッファメモリ７１は、ハードディスクが時間分割して行う記録及び再生動作により間欠的とされる信号を、連続した信号に変換するための一時記憶回路である。
【００２７】
次に、バッファメモリ７１に記憶された圧縮符号化信号はＭＰＥＧ−２デコーダ７２に供給されディジタル映像信号が復号される。復号された映像信号の一部はＯＳＤ７３で放送番組記録再生装置４の動作状態に係る情報が付加されてＤ／Ａ変換器７４に供給される。そこでは、アナログ信号に変換された映像信号はモニタＴＶ９に供給されて表示され、使用者によりモニタされる。
【００２８】
以上、前欠け、後欠け、及び全欠けの情報と共に複数の録画予約情報を記述した週間予約テーブルと、そのテーブルの情報を基に当日録画するための録画実行テーブルを作成し、作成された録画実行テーブルに従って録画の希望される放送番組のうち、所望の番組部分を最新の予約情報を基に適正化された欠けの状態で予約して録画する放送番組記録再生装置の構成とその動作につき概説した。
【００２９】
次に、週間予約テーブル及び録画実行テーブルに記述される予約情報について更に述べる。
図２に、重複して予約される番組について示し、図面を参照して説明する。
【００３０】
同図において、月曜から金曜までの時刻午後８時から午後１０時までの毎日予約を行っている既予約番組（Ａ）に対し、今回の火曜日のみ午後５時から午後８時３０分までを単発予約する番組Ｂの洋画劇場を録画しようとする場合の時間関係について示している。新規予約番組は（１）の８：００〜（５）の８：３０の間で重複している。どちらの番組を優先して録画すべきかを選択する必要がある。
【００３１】
図３に、重複部分のある番組の録画に対して、どちらの番組を優先して録画するかを選択するための提示画面例を示す。
同図において、画面の上部には新規に録画予約しようとする番組が表示され、次に番組の重複部分のどちらを優先するかの選択を依頼する表示部を示している。重複される相手の番組をその次に示し、画面の下部には優先する方の番組を選択するための「予約済み」「新規予約」の押しボタンと、この画面から抜け出るための「中止」ボタンとが表示されている。
【００３２】
使用者は操作パネルにより、またはリモコンの図示しない矢印キーと決定ボタンを操作していずれの番組を優先すべきかの操作を行う。次に、番組Ｂが選択された場合について述べる。その場合は、前述の図２に於ける（ａ）の網点部分（１）〜（５）を録画しない選択である。その選択結果を基にしてマイコン７５により週間予約テーブル７６ａが作成される。
【００３３】
図４に、番組Ａに関する週間予約テーブルの記述例を示す。
同図において、縦に前欠け、全欠け、後欠けの記述欄があり、それぞれの欠けに対して「リバース」と「ペア」の記述欄がある。横には日曜から土曜までの曜日欄がある。
【００３４】
ここでリバースには、後述の翌週に対するフラグの「１」と「０」とが反転されるか、そのまま保たれるかを示すフラグを記述する。また、ペアの欄には欠けが生じるときにその原因となる相手側の番組名（識別記号）を記述する。
【００３５】
上記の場合では、番組Ａに欠けが生じているのは、火曜日の前欠けであることがフラグ「１」により示されている。リバースは「１」であり、火曜における単発予約番組の終了後は前欠けフラグ「１」は「０」に反転されることを示している。その前欠けの原因となる番組はペアの欄に「Ｂ」として示されている。また、火曜以外には欠けの部分は生じていない。
【００３６】
この週間予約テーブルは番組Ｂに対しても作成される。その図示しない番組Ｂに対する週間予約テーブルには、火曜の欄に前欠けがなされない「０」、リバースがなされない「０」、そしてペアには「Ａ」が記される。即ち、番組「Ａ」に対して重複部分は存在するが、番組Ｂは欠けがない状態で記録されること、及び次週以降に欠けフラグが反転されないことを記述してある。
【００３７】
以上、前欠けの場合について述べた。後欠けの場合についても同様にして記述される。
次に、番組の中央部分が欠けてしまうため、番組全ての録画を行わないとする全欠けについて述べる。
【００３８】
図５に、全欠けが生じる場合の予約時間の重なりを示す。
同図において、番組Ａは月〜金の午後８時から午後１０時までの毎日予約を行っている既予約番組（Ａ）に対し、今回の木曜日のみ午後７時から午後１１時までを単発予約する番組Ｃのドラマを録画しようとする場合である。
【００３９】
ここで、単発予約番組Ｃが選択された場合には既予約番組Ａは全く録画されない。反対に既予約番組が選択されたときには番組Ｃの前半部と後半部のみが録画される。しかし、中央部分が記録されないことは、番組を録画する意味を有しないものとする。即ち、番組Ａが選択されたときには番組Ｃの記録を行わず、「全欠け」とする。
【００４０】
図６に、重複する番組の録画に対して、どちらの番組を指定して録画するかを選択するための表示画面例を示す。
同図において、時間の重なっている新規予約番組と予約済み番組を示し、どちらの予約で録画するかを「予約済み」または「新規予約」の押しボタンにより選択するように提示されている。
【００４１】
図７に、使用者が番組Ｃを選択した場合の週間予約テーブルの記述例を示す。
同図において、番組Ａの、木曜の全欠けフラグが「１」、リバースには次週に全欠けフラグが反転されることを示す「１」が、そして「ペア」に影響を受ける番組はＣであることを記述している。
【００４２】
前述と同様にして、番組Ｃに対する週間予約テーブルも作成される。その図示しない番組Ｃの週間予約テーブルの木曜の欄には、番組が全部録画されるため、全欠けの欄に「０」、全欠け欄のフラグは番組終了後も反転されないのでリバース欄に「０」、そしてペアの欄には番組Ａを全欠けにしているため「Ａ」が記される。
【００４３】
以上は、１つの番組が原因となって全欠けとされるため、いずれ側の番組を選択するかを２者択一により決定する場合の例である。同様にして複数の番組が原因となって２者択一の選択がされる場合もある。
図８に、２つの番組Ａ及びＢと、番組Ｄとが予約された場合の例を示す。
【００４４】
この例では、前半部分が欠けて録画される既予約番組Ａ、及び欠けがなく記録される既予約番組Ｂに対し、単発番組Ｄを予約しようとする場合である。使用者に対して番組Ａ及びＢと、番組Ｄとのどちらを２者択一するかを、例えば「以下の予約らと重なっています。どちらを選択しますか。またはこれらの予約を消して新しく予約しますか」のように問い、選択された方法により録画予約の設定を行う。これは３つの番組の重なりに対する処理の場合である。
【００４５】
図９に、４つの番組が予約される場合の処理例を示し、説明する。
同図は、予め番組Ｅ、Ｆ、及びＧが予約されているときに、新たに番組Ｈを予約しようとするときの場合である。即ち、番組Ｇは優先番組として選択されているため、番組Ｅが後欠けにより、番組Ｆは前欠けにより録画が予約されている状態である。
【００４６】
それらの３番組の予約に対し、新たに４番目の単発予約番組Ｈを予約しようとする場合である。
この番組Ｈは番組Ｇと重複しているため、いずれの番組を選択して録画するかに係る２者択一の選択を行う。そして、番組Ｇが選択されたときには番組Ｈの録画は非録画（全欠け）とされる。
【００４７】
一方、番組Ｈが選択されたときには番組Ｇは中央部が欠け状態となるため、ここでは番組Ｇを全欠けとする。この場合では、番組Ｇの録画がされないことにより、番組Ｅの後欠け及び番組Ｆの前欠けの原因がなくなる。従って、今週は、番組Ｅ、Ｆ、及びＨは欠けることなく録画される。次週から番組Ｅ及びＦは再び欠けた状態で録画される。
【００４８】
上記のように、番組Ｇが毎週火曜に予約されているにも係らず、今週は番組Ｈの方が選択されたことにより番組ＥおよびＦの欠けの部分は欠けることなく記録されることになる。
図１０に、番組Ｅに対する週間予約テーブルの火曜部分の記述を示す。
【００４９】
同図において、１）は番組Ｅ、Ｆ、及びＧが予約され、番組Ｇに対する優先処理がなされたときの番組Ｅに対する記述である。番組Ｅのテーブルには、番組Ｇが原因となり後欠けが生じていることを示している。
【００５０】
２）は番組Ｈが予約されたときの番組Ｅに対する記述である。番組Ｈが選択されたため番組Ｅの後欠けフラグは０となり、後欠けすることなく録画されることを示す。しかし、番組Ｈの予約がなくなったときには後欠けフラグが復活するので、それをリバースフラグ１により示している。
【００５１】
３）は火曜日当日における週間予約テーブルと、その記述内容が今日の予約テーブルに記述された例である。即ち、「今日」として示される録画予約テーブルには２）の後欠けフラグ等の内容がコピーされると共に、週間予約テーブルの火曜の欄には今日の録画が実行された後の状態で記述されている。
４）に次週以降のフラグの内容を示す。この内容は、３）の火曜の内容がそのまま記述されている。
【００５２】
以上、４つの番組が予約される場合において、一つの番組が全欠けとなることにより他の２つの番組が復活される動作について、１つの番組の週間予約テーブルおよび今日の予約テーブルに記述されるフラグと共に述べた。そして、週間予約テーブルおよび今日の予約テーブルは４つの番組全てに存在している。それらのテーブルへの記述も同様になされている。今日の予約テーブルを作成することにより、次週以降の予約の状態を明確化することが出来る。
【００５３】
また、週間予約テーブルは１週間の番組の予約について記している。それは、番組予約が１回だけの単発予約である場合、毎週の同一曜日になされる毎週予約である場合、及び月〜金、月〜土、乃至は月〜日の毎日予約される毎日予約の場合などがあるため、曜日ごとに異なる欠けの状態をテーブルに記述し、マイコン７５は欠けの状態を短時間で判断し、必要に応じて使用者に提示し、優先予約に対する操作を依頼するためである。
【００５４】
短時間に判断できないときには、予約されている全データをサーチし、全ての欠けの状態を検出すれば可能であるものの、演算量が膨大となり、的確な欠け情報を直ちに得ることはできない。
【００５５】
週間予約テーブルを用いて欠けの状態を管理することにより、更に多くの番組予約に対して生じる前欠け、全欠け、後欠け、及びフラグの反転等の影響を容易に識別することができる。利用者が番組予約を行った直後に利用者に対して優先番組の選択、または予約番組の２者択一の選択画面を提示することが出来、好適な番組予約の操作を行うことが出来る。
【００５６】
以上、週間予約テーブルを用い、１週間を単位とする番組予約、及び優先番組の選択方法について述べた。繰返し予約が１週間を超えて、例えば毎月、又は毎年の特定の日に放送される番組を共に予約するような場合も、予約テーブルを月間予約テーブル、又は年間予約テーブルとして作成し、同様の予約動作を行うことが出来る。
【００５７】
また、週間予約テーブルを用いて番組の予約を行う場合であり、８日以上先になされる個別番組を予約する場合も可能であり、その動作について述べる。
図１１に、８日以上先の予約に対する週間予約テーブルの記述例を示す。
【００５８】
同図の上部において、８日以上先の火曜に予約される番組Ｋが優先指定されており、毎週火曜に予約される番組Ｊは、８日以上先の火曜に後欠けで記録される場合を示している。
それに対し、８日以上前の番組Ｊに対する週間番組表の火曜日の欄には、後欠け、リバース、及びペアのそれぞれは０とされ、８日以上前の番組Ｋに対する火曜日の欄は、後欠けが１、リバースが１、ペアはＪとして記述されている。
【００５９】
そして７日以内の番組Ｊの火曜の欄には後欠けが１、リバースが１、ペアはＫと記述され、番組Ｋは後欠けが０、リバースが０、ペアはＪと記述される。
即ち、７日以内の番組Ｊ及び番組Ｋの記述を行うために８日以上前の番組Ｋに対する火曜日の欄は、後欠けが１、リバースが１、ペアはＪと記述しておき７日前の火曜に番組Ｋのリバースフラグにより記述内容がリバースされて７日以内の番組Ｊ及び番組Ｋの記述がなされる。
【００６０】
以上、８日以上前に欠けが生じる場合の週間番組表への記述、及び１週間前の同一曜日になされるフラグの変換処理について述べた。これにより、１週間の週間予約テーブルを用い、２週間にわたる番組予約に対する欠けの管理を、リバースフラグを用いて行うことが可能であることを示した。
【００６１】
以上、週間予約テーブルに記述される毎週予約、毎日予約、及び単発予約の情報を基に、優先記録する番組については番組全体を、優先されない番組については重複する番組を欠いて記録するようにした映像信号記録装置の構成とその動作について詳述した。
【００６２】
さらに、発明は、上述した放送番組記録再生装置の動作をコンピュータにより実現させるためのプログラムを含むものである。そのコンピュータを実行させるためのプログラムは、例えば、
【００６３】
毎週又は毎日の所望の時間帯に受信される番組の繰返し予約を複数番組について行うと共に、個別に指定する時間帯の番組を予約して録画する機能を有して実行される放送番組録画装置用プログラムであって、
番組の予約に係る受信チャンネル、放送日、開始時刻、及び終了時刻のそれぞれの情報を含む前記個別に指定する番組に係る新予約番組情報を得る第１のステップと、
前記第１のステップで得られた新予約番組情報と、既に録画予約されている既予約番組情報とを比較し予約時間帯に重複部分があるかを検出する第２のステップと、
前記第２のステップで検出された重複部分が新予約番組の前半部、または後半部のいずれか一方の部分であるときは、前記新予約番組又は既予約番組のうちのいずれか一方を優先番組とし、他方を非優先番組として選択する第3のステップと、
前記第3のステップで選択された非優先番組に係り、重複する部分が前半部であるときには前欠けであることを示す前欠けフラグを、重複する部分が後半部であるときには後欠けであることを示す後欠けフラグを、予約される曜日ごとに整理して記述する週間予約テーブルを作成する第4のステップと、
前記第4のステップで作成された週間予約テーブルに記述される前欠けフラグ又は後欠けフラグを基に、予約された番組を録画するための受信チャンネル及び録画に係る時刻情報を記述した録画実行テーブルを作成する第5のステップと、
を少なくとも有し、予約した優先番組の全て及び非優先番組の重複部分を除いた番組部分を録画するように前記装置を制御することを特徴とする放送番組録画装置用プログラム。
【００６４】
毎週又は毎日の所望の時間帯に受信される番組の繰返し予約を複数番組について行うと共に、個別に指定する時間帯の番組を予約して録画する機能を有して実行される放送番組録画装置用プログラムであって、
番組の予約に係る受信チャンネル、放送日、開始時刻、及び終了時刻のそれぞれの情報を含む前記個別に指定される番組に係る新予約番組情報を得る第１のステップと、
前記第１のステップで得られた新予約番組情報と、既に録画予約されている既予約番組情報とを比較し予約時間帯に重複する部分があるかを検出する第２のステップと、
前記第２のステップで検出された重複部分が新予約番組の前半部分、中央部分、又は後半部分のうちの中央部分であるときは、前記新予約番組又は既予約番組のうちのいずれの一方を録画番組とし、且つ他方を非録画番組とするかを選択する第3のステップと、
前記第3のステップで選択された録画番組には録画実行のフラグを付すと共に、非録画番組には録画を実行しないことを示す録画非実行フラグを付し、予約される曜日ごとに整理して記述する週間予約テーブルを作成する第4のステップと、
前記第4のステップで作成された週間予約テーブルに記述される録画実行フラグ又は録画非実行フラグを基に、予約された番組を録画するための受信チャンネル及び録画に係る時刻情報を記述した録画実行テーブルを作成する第5のステップと、
を少なくとも有し、前記第4のステップで作成された週間予約テーブルの録画に係るフラグの付された番組のうち、録画実行フラグの付された番組のみを録画するように前記装置を制御することを特徴とする放送番組録画装置用プログラム。
【産業上の利用可能性】
【００６５】
予約した複数の番組を録画するに際し、録画時刻に重なりがあるときには優先する方の番組を選択し、優先する番組の全てと重なりが生じた番組の重ならない部分の番組を録画することのできる映像信号記録装置の実現に利用できる。
【図面の簡単な説明】
【００６６】
【図１】本発明の実施例に係る、放送番組記録再生装置の構成例を示すブロック図である。
【図２】本発明の実施例に係る、録画時刻が重複する番組の時間関係を示す図である。
【図３】本発明の実施例に係る、重複部分のある番組の優先録画に関する選択画面例を示す図である。
【図４】本発明の実施例に係る、週間予約テーブルの記述例を示す図である。
【図５】本発明の実施例に係る、全欠けが生じる場合の予約の重なりを示す図である。
【図６】本発明の実施例に係る、重複番組の択一選択に係る表示画面例を示す図である。
【図７】本発明の実施例に係る、週間予約テーブルの記述例を示す図である。
【図８】本発明の実施例に係る、重複番組と個別番組との時間関係を示す図である。
【図９】本発明の実施例に係る、重複する４番組の時間関係を示す図である。
【図１０】本発明の実施例に係る、週間予約テーブルの特定曜日における記述例を示す図である。
【図１１】本発明の実施例に係る、８日以上先の予約に対する週間予約テーブルの記述例を示す図である。
【符号の説明】
【００６７】
４    放送番組記録再生装置
９    モニタテレビ
５１    テレビチューナ
５２    Ａ／Ｄ変換器
５３    ＭＰＥＧ−２エンコーダ
５５    バッファメモリ
６１    ハードディスク記録再生器
６３    ハードディスク
６５    書き込み読み出し制御器
７１    バッファメモリ
７２    ＭＰＥＧ−２デコーダ
７３    ＯＳＤ
７４    Ｄ／Ａ変換器
７５    マイコン
７６ａ    週間予約テーブル
７６ｂ    録画実行テーブル
【図１】
2005217738.tif 000003
【図２】
2005217738.tif 000004
【図３】
2005217738.tif 000005
【図４】
2005217738.tif 000006
【図５】
2005217738.tif 000007
【図６】
2005217738.tif 000008
【図７】
2005217738.tif 000009
【図８】
2005217738.tif 000010
【図９】
2005217738.tif 000011
【図１０】
2005217738.tif 000012
【図１１】
2005217738.tif 000013